(57)【特許請求の範囲】
【請求項１】
時間情報に対応付けてスケジュールデータを記憶するスケジュール記憶手段と、
このスケジュール記憶手段に記憶されたスケジュールデータに対応付けて位置情報を記憶する位置情報記憶手段と、
前記スケジュール記憶手段に記憶されたスケジュールを時間毎に表示するスケジュール表示手段と、
このスケジュール表示手段により時間毎に表示された各スケジュールに対応付けられて前記位置情報記憶手段に記憶されている位置情報を、当該スケジュール表示と共に地図上で表示するスケジュール位置表示手段と、
このスケジュール位置表示手段により地図上で表示した各スケジュールに対応する位置情報を、時間順に連結してなる移動ラインを当該地図上で表示する移動ライン表示手段と、
前記スケジュール表示手段によるスケジュール表示上の時間を指定表示する時間指定表示手段と、
この時間指定表示手段により指定表示された時間のスケジュールに対応する前記地図上での位置を、当該指定表示された時間のスケジュールがある場合は前記スケジュール位置表示手段により地図上に表示された該当スケジュールに対応する位置情報の位置の前記移動ライン上で表示し、指定表示された時間のスケジュールがない場合は前記スケジュール位置表示手段により地図上に表示された指定時間前後の各スケジュールに対応する位置情報の位置を連結した前記移動ライン上で表示する移動位置表示手段と、
を備えたことを特徴とする電子機器。
【請求項２】
前記スケジュール記憶手段により記憶されるスケジュールデータは、そのスケジュールに対応する位置での移動手段データを含み、
前記移動位置表示手段は、
前記時間指定表示手段により指定表示された時間のスケジュールに対応する前記地図上での位置を、前記移動ライン表示手段により表示された移動ライン上で表示すると共に、該当位置での移動手段データに応じたマークを表示する移動マーク表示手段をさらに有する、
ことを特徴とする請求項１に記載の電子機器。
【請求項３】
前記スケジュール表示手段により前記スケジュール記憶手段に記憶されたスケジュールを時間毎に表示する際の時間の表示は、当該スケジュールに含まれる時差の有る地域に従った２地域の時間区分をもって表示する、
ことを特徴とする請求項１または請求項２に記載の電子機器。
【請求項４】
現在の日時を計時する計時手段をさらに備え、
前記時間指定表示手段は、
前記スケジュール表示手段によるスケジュール表示上の時間を前記計時手段により計時される現在の日時に対応して指定表示する、
ことを特徴とする請求項１乃至請求項３の何れか１項に記載の電子機器。
【請求項５】
時間情報に対応付けてスケジュールデータを記憶するスケジュール記憶手段と、
このスケジュール記憶手段に記憶されたスケジュールデータに対応付けて位置情報を記憶する位置情報記憶手段と、
前記スケジュール記憶手段に記憶されたスケジュールを時間毎に表示するスケジュール表示手段と、
このスケジュール表示手段により時間毎に表示された各スケジュールに対応付けられて前記位置情報記憶手段に記憶されている位置情報を、当該スケジュール表示と重ねた地図上で表示するスケジュール位置表示手段と、
前記スケジュール位置表示手段により地図上で表示した各スケジュールに対応する位置情報を、時間順に連結してなる移動ラインを当該地図上で表示する移動ライン表示手段と、
前記スケジュール表示手段によるスケジュール表示上の時間を当該スケジュール表示上の端に表示位置を設定して指定表示する時間指定表示手段と、
この時間指定表示手段により指定表示された時間のスケジュールに対応する前記地図上での位置を、前記移動ライン表示手段により表示された移動ライン上で表示する移動位置表示手段と、
を備えたことを特徴とする電子機器。
【請求項６】
前記スケジュール表示手段は、前記スケジュール記憶手段に記憶されたスケジュールをウインドウ画面内に時間毎に表示し、
前記スケジュール位置表示手段は、前記スケジュール表示手段により時間毎に表示された各スケジュールに対応付けられて前記位置情報記憶手段に記憶されている位置情報を、当該ウインドウ画面によるスケジュール表示を含んだ地図画面上で表示する、
ことを特徴とする請求項１に記載の電子機器。
【請求項７】
電子機器のコンピュータを制御するための電子機器制御プログラムであって、
前記コンピュータを、
時間情報に対応付けてスケジュールデータを記憶するスケジュール記憶手段、
このスケジュール記憶手段により記憶されたスケジュールデータに対応付けて位置情報を記憶する位置情報記憶手段、
前記スケジュール記憶手段により記憶されたスケジュールを時間毎に表示するスケジュール表示手段、
このスケジュール表示手段により時間毎に表示された各スケジュールに対応付けられて前記位置情報記憶手段により記憶されている位置情報を、当該スケジュール表示と共に地図上で表示するスケジュール位置表示手段、
このスケジュール位置表示手段により地図上で表示した各スケジュールに対応する位置情報を、時間順に連結してなる移動ラインを当該地図上で表示する移動ライン表示手段、
前記スケジュール表示手段によるスケジュール表示上の時間を指定表示する時間指定表示手段、
この時間指定表示手段により指定表示された時間のスケジュールに対応する前記地図上での位置を、当該指定表示された時間のスケジュールがある場合は前記スケジュール位置表示手段により地図上に表示された該当スケジュールに対応する位置情報の位置の前記移動ライン上で表示し、指定表示された時間のスケジュールがない場合は前記スケジュール位置表示手段により地図上に表示された指定時間前後の各スケジュールに対応する位置情報の位置を連結した前記移動ライン上で表示する移動位置表示手段、
として機能させるようにしたコンピュータ読み込み可能な電子機器制御プログラム。
【請求項８】
電子機器のコンピュータを制御するための電子機器制御プログラムであって、
前記コンピュータを、
時間情報に対応付けてスケジュールデータを記憶するスケジュール記憶手段、
このスケジュール記憶手段に記憶されたスケジュールデータに対応付けて位置情報を記憶する位置情報記憶手段、
前記スケジュール記憶手段に記憶されたスケジュールを時間毎に表示するスケジュール表示手段、
このスケジュール表示手段により時間毎に表示された各スケジュールに対応付けられて前記位置情報記憶手段に記憶されている位置情報を、当該スケジュール表示と重ねた地図上で表示するスケジュール位置表示手段、
前記スケジュール位置表示手段により地図上で表示した各スケジュールに対応する位置情報を、時間順に連結してなる移動ラインを当該地図上で表示する移動ライン表示手段、
前記スケジュール表示手段によるスケジュール表示上の時間を当該スケジュール表示上の端に表示位置を設定して指定表示する時間指定表示手段、
この時間指定表示手段により指定表示された時間のスケジュールに対応する前記地図上での位置を、前記移動ライン表示手段により表示された移動ライン上で表示する移動位置表示手段、
として機能させるようにしたコンピュータ読み込み可能な電子機器制御プログラム。
【請求項９】
時間情報に対応付けてスケジュールデータを記憶するスケジュール記憶手段と、このスケジュール記憶手段に記憶されたスケジュールデータに対応付けて位置情報を記憶する位置情報記憶手段とを備えた電子機器のコンピュータを制御するための電子機器制御方法であって、
前記コンピュータにより、
前記スケジュール記憶手段に記憶されたスケジュールを時間毎に表示させるスケジュール表示ステップと、
このスケジュール表示ステップにて時間毎に表示された各スケジュールに対応付けられて前記位置情報記憶手段に記憶されている位置情報を、当該スケジュール表示と共に地図上で表示させるスケジュール位置表示ステップと、
このスケジュール位置表示ステップにて地図上で表示した各スケジュールに対応する位置情報を、時間順に連結してなる移動ラインを当該地図上で表示させる移動ライン表示ステップと、
前記スケジュール表示ステップによるスケジュール表示上の時間を指定表示させる時間指定表示ステップと、
この時間指定表示ステップにて指定表示された時間のスケジュールに対応する前記地図上での位置を、当該指定表示された時間のスケジュールがある場合は前記スケジュール位置表示ステップにて地図上に表示された該当スケジュールに対応する位置情報の位置の前記移動ライン上で表示させ、指定表示された時間のスケジュールがない場合は前記スケジュール位置表示ステップにて地図上に表示された指定時間前後の各スケジュールに対応する位置情報の位置を連結した前記移動ライン上で表示させる移動位置表示ステップと、
からなることを特徴とする電子機器制御方法。
【請求項１０】
時間情報に対応付けてスケジュールデータを記憶するスケジュール記憶手段と、このスケジュール記憶手段に記憶されたスケジュールデータに対応付けて位置情報を記憶する位置情報記憶手段とを備えた電子機器のコンピュータを制御するための電子機器制御方法であって、
前記コンピュータにより、
前記スケジュール記憶手段に記憶されたスケジュールを時間毎に表示させるスケジュール表示ステップと、
このスケジュール表示ステップにて時間毎に表示された各スケジュールに対応付けられて前記位置情報記憶手段に記憶されている位置情報を、当該スケジュール表示と重ねた地図上で表示させるスケジュール位置表示ステップと、
前記スケジュール位置表示ステップにて地図上で表示した各スケジュールに対応する位置情報を、時間順に連結してなる移動ラインを当該地図上で表示させる移動ライン表示ステップと、
前記スケジュール表示ステップによるスケジュール表示上の時間を当該スケジュール表示上の端に表示位置を設定して指定表示させる時間指定表示ステップと、
この時間指定表示ステップにて指定表示された時間のスケジュールに対応する前記地図上での位置を、前記移動ライン表示ステップにて表示された移動ライン上で表示させる移動位置表示ステップと、
からなることを特徴とする電子機器制御方法。
【発明の詳細な説明】
【０００１】
【発明の属する技術分野】
本発明は、スケジュールデータや地図データなどを表示するための電子機器、及び電子機器制御プログラム、電子機器制御方法に関する。
【０００２】
【従来の技術】
近年、小型の情報表示機器として様々な機能を搭載したＰＤＡ(personal digital assistants)が実用化されている。
【０００３】
これらのＰＤＡに搭載される機能としては、スケジュール管理機能や地図表示機能などがある。このスケジュール管理機能と地図表示機能とは独立した機能であり、例えばスケジュール表示によって表示されたスケジュール上の場所（位置）が何処であるのかを確認する場合は、地図表示モードに切り替えて該当の地域・場所を探すようにしている。
【０００４】
【発明が解決しようとする課題】
このように、従来のＰＤＡでは、スケジュール表示によって表示されたスケジュール上の場所（位置）が何処にあるのかを確認する場合、地図表示モードに一々切り替えて該当の地域・場所を探さなければならないため、特にスケジュールの内容毎にその場所（位置）を確認するには、その都度、地図表示モードに切り替えて該当の地域を探し出す必要があり、非常に面倒で操作性の悪い問題がある。
【０００５】
これに加え、地図表示モードでは、スケジュール表示で見た個々のスケジュール単位でしか該当する場所の確認を行うことができないため、連続する複数のスケジュールにある各場所間での途中位置を確認することなどはできない。
【０００６】
本発明は、前記のような問題に鑑みてなされたもので、スケジュール上の場所（位置）を地図表示上で容易に確認することが可能になる電子機器、及び電子機器制御プログラム、電子機器制御方法を提供することを目的とする。
【０００７】
【課題を解決するための手段】
すなわち、本発明の請求項１に係る電子機器は、時間情報に対応付けてスケジュールデータを記憶するスケジュール記憶手段と、このスケジュール記憶手段に記憶されたスケジュールデータに対応付けて位置情報を記憶する位置情報記憶手段と、前記スケジュール記憶手段に記憶されたスケジュールを時間毎に表示するスケジュール表示手段と、このスケジュール表示手段により時間毎に表示された各スケジュールに対応付けられて前記位置情報記憶手段に記憶されている位置情報を、当該スケジュール表示と共に地図上で表示するスケジュール位置表示手段と、このスケジュール位置表示手段により地図上で表示した各スケジュールに対応する位置情報を、時間順に連結してなる移動ラインを当該地図上で表示する移動ライン表示手段と、前記スケジュール表示手段によるスケジュール表示上の時間を指定表示する時間指定表示手段と、この時間指定表示手段により指定表示された時間のスケジュールに対応する前記地図上での位置を、当該指定表示された時間のスケジュールがある場合は前記スケジュール位置表示手段により地図上に表示された該当スケジュールに対応する位置情報の位置の前記移動ライン上で表示し、指定表示された時間のスケジュールがない場合は前記スケジュール位置表示手段により地図上に表示された指定時間前後の各スケジュールに対応する位置情報の位置を連結した前記移動ライン上で表示する移動位置表示手段と、を備えたことを特徴とする。
【０００８】
このような、本発明の請求項１に係る電子機器では、時間情報に対応付けてスケジュールデータを記憶するスケジュール記憶手段と、このスケジュール記憶手段に記憶されたスケジュールデータに対応付けて位置情報を記憶する位置情報記憶手段とが備えられ、前記スケジュール記憶手段に記憶されたスケジュールが時間毎に表示されると、このスケジュール表示により時間毎に表示された各スケジュールに対応付けられて前記位置情報記憶手段に記憶されている位置情報が、当該スケジュール表示と共に地図上において表示されるので、各スケジュールに対応する位置を共に表示される地図上で確認できることになる。
【００１０】
そして、スケジュール表示と共に表示される地図上において表示された各スケジュールに対応する位置情報が、そのスケジュールの時間順に連結されスケジュールの移動ラインとして表示されることになる。
【００１２】
さらに、時間指定表示手段により前記スケジュール表示上の時間が指定表示されると、この指定表示された時間のスケジュールに対応する前記地図上での位置が、当該指定表示された時間のスケジュールがある場合は前記地図上に表示された該当スケジュールに対応する位置情報の位置の前記移動ライン上で表示され、指定表示された時間のスケジュールがない場合は前記地図上に表示された指定時間前後の各スケジュールに対応する位置情報の位置を連結した前記移動ライン上で表示されるので、スケジュール表示に対する時間指定表示の移動に応じて各指定時間のスケジュールに対応する地図上での位置が移動ライン上にて連動し移動表示されることになる。
【００１３】
【発明の実施の形態】
以下、図面を参照して本発明の実施の形態について説明する。
【００１４】
図１は、本発明の電子機器の実施形態に係る情報端末１０の電子回路の構成を示すブロック図である。
【００１５】
情報端末１０は、各種の記録媒体に記録されたプログラム、又は、伝送されたプログラムを読み込んで、その読み込んだプログラムによって動作が制御されるコンピュータによって構成され、その電子回路には、ＣＰＵ１１が備えられる。
【００１６】
ＣＰＵ１１は、ＥＥＰ−ＲＯＭなどのメモリ１２に予め記憶された端末制御プログラム、あるいはＲＯＭカードなどの外部記録媒体１３から記録媒体読取部１４を介して前記メモリ１２に読み込まれた端末制御プログラム、あるいはインターネットなどの通信ネットワークＮ上の他のコンピュータ端末から電送制御部１５を介して前記メモリ１２に読み込まれた端末制御プログラムに応じて、回路各部の動作を制御するもので、前記メモリ１２に記憶された端末制御プログラムは、キーやタッチパネルからなる入力部１６からのユーザ操作に応じた入力信号、あるいは電送制御部１５に受信される通信ネットワークＮ上の他のコンピュータ端末からの信号に応じて起動される。
【００１７】
前記ＣＰＵ１１には、前記メモリ１２、記録媒体読取部１４、電送制御部１５、入力部１６が接続される他に、ＬＣＤからなる表示部１７、現在日時の計時を行う時計部１８などが接続される。
【００１８】
この情報端末１０のメモリ１２には、当該情報端末１０の全体の動作を司る端末システムプログラムや電送制御部１５を介して通信ネットワークＮ上の各コンピュータ端末とデータ通信するための通信プログラムが記憶される他に、当該情報端末１０にて管理されるスケジュールデータと地図情報とを並列表示させ、スケジュールに含まれる場所（位置）を地図上に表示させるためのスケジュール地図プログラム１２ａなどが記憶される。
【００１９】
また、前記情報端末１０のメモリ１２には、世界地図の地図データや各主要地域・主要都市などの地図データが記憶される地図画像データメモリ１２ｂ、この情報端末１０が使用される国や地域を基準とした世界各国・地域間での時差データが記憶される時差表メモリ１２ｃが備えられる。
【００２０】
図２は前記情報端末１０の時差表メモリ１２ｃに記憶される時差データを示す図である。
【００２１】
この時差表メモリ１２ｃには、例えば基準地域を「日本」とした世界各地域間での時差データがテーブル化されて記憶される。
【００２２】
さらに、前記情報端末１０のメモリ１２には、当該端末ユーザのスケジュールデータが各スケジュール毎の場所を示す位置情報と対応付けられて記憶されるスケジュール表メモリ１２ｄ、地図表示画面上にスケジュール表示画面を重ね合わせ表示するかウインドウ表示するかを設定するための表示モードデータが記憶される表示モードメモリ１２ｅ、スケジュール表示画面上での指定のスケジュール表示行を常に定位置（例えば最上段）に固定するか又はそのスケジュール時間に応じて移動表示するかを設定するための指定行設定データが記憶される指定行メモリ１２ｆが備えられる。
【００２３】
図３は前記情報端末１０のスケジュール表メモリ１２ｄに記憶されるスケジュールデータとその対応位置情報を示す図であり、同図（Ａ）はスケジュールデータを示す図、同図（Ｂ）は対応位置情報を示す図である。
【００２４】
このスケジュール表メモリ１２ｄには、例えば端末ユーザの旅行スケジュールが記憶されるもので、図３（Ａ）に示すように、各スケジュールは旅程の「時間」「地域（場所）とそのスケジュール」及びその地域の属する「地図情報」、各地域間の「移動手段」からなり、さらに各スケジュールの「地域（場所）」には、図３（Ｂ）に示すように、その各地域（場所）の緯度／経度を示す位置情報が例えば前記地図画像データ１２ｂに基づき検索され対応付けられて記憶される。
【００２５】
次に、前記構成の情報端末１０を旅行サービス会社が提供する旅行の参加者が携帯した端末とした場合の端末操作表示動作について説明する。
【００２６】
図４は前記情報端末１０の指定行移動表示モードでの操作表示動作を示す図である。
【００２７】
情報端末１０のスケジュール表メモリ１２ｃには、例えば旅行サービス会社においてデータ入力された“０１年４月１日９：００”成田出発予定のパリへの旅行スケジュールが記憶されており、タッチパネル式表示部１７の下端にはスケジュール画面を表示させるための「スケジュール」ボタンＳＣ、データ通信により前記旅行スケジュール上の場所や時間に対応させた情報を表示させるための「コミュナビ」ボタンＣＮ、前記旅行スケジュール上での場所や位置に応じた地図画面を表示させるための「マップ」ボタンＭＰ、そして表示データ以外のデータサーチを指示するための「サーチ」ボタンＳＥが設けられる。
【００２８】
まず、図４（Ａ）に示すように、タッチパネル式表示部１７にある「スケジュール」ボタンＳＣをタップ操作すると、時計部１８により計時される現在日時に対応して、メモリ１２内のスケジュール表メモリ１２ｄに記憶されているスケジュールデータが読み出され、例えば“０１年４月１日９：００”成田出発予定のパリへの旅行スケジュールを示すスケジュール画面が表示される。
【００２９】
このスケジュール画面では、最上段に指定日表示Ｄが行われると共に、出発地である日本時間表示（出発地時間表示）ＴＳと目的地であるフランス時間表示（目的地時間表示）ＴＡが時差表メモリ１２ｃに記憶されている該当地域間の時差に従って１時間単位で並列に行われる。
【００３０】
そして、各時間表示行に対応させてスケジュール表メモリ１２ｄに記憶されている該当指定日のスケジュールの内容が表示される。
【００３１】
さらに、このスケジュール画面には、カーソルＫによる時間指定行のスケジュールの地域（場所）に応じて選択された地図画面が、スケジュール表メモリ１２ｄに記憶されている地図情報に基づき重ねて表示されるもので、この際、当該地図画面には、前記スケジュール上にある各地域（場所）がその位置情報（図３参照）に基づきその緯度／経度が判断されてポインタＰとして表示される。
【００３２】
この場合、本実施形態におけるスケジュールでは、「成田空港」「アンカレジ」「パリ・ドゴール空港」が存在し、各スケジュール位置ポインタＰ１〜Ｐ３として表示されると共に、各スケジュール位置ポインタＰ１〜Ｐ３間を線で結んだ移動ラインＭＬも表示される。
【００３３】
また、前記スケジュール画面に重ねて表示された地図画面には、カーソルＫによる指定時間に対応させた現在位置ラインＴＬが時間軸方向（地図の東西方向）と直行する方向に表示されると共に、この現在位置ラインＴＬにはその時点のスケジュールの移動手段（飛行機，船など）に応じた移動マークＭが付されて表示される。
【００３４】
ここで、カーソルＫによる時間指定行にスケジュールがある場合には、そのスケジュール上の地域（場所）に対応させて現在位置ラインＴＬが表示され、時間指定行にスケジュールがない場合には、その指定時間前後にある各スケジュールの時間と地域（場所）に基づき、指定時間に対応する割合の現在位置が計算され現在位置ラインＴＬが表示される。
【００３５】
すなわち、図４（Ａ）に示すように、日本時間９時・フランス時間１時のスケジュール行が指定された場合には、「成田空港発」のスケジュールに応じてスケジュール位置ポインタＰ１上に現在位置ラインＴＬが表示され、またそのときの移動手段「飛行機」に応じて飛行機の移動マークＭが共に表示される。
【００３６】
また同様に、図４（Ｂ）に示すように、日本時間１１時・フランス時間３時のスケジュール行が指定された場合には、「（アンカレジ）」のスケジュールに応じてスケジュール位置ポインタＰ２上に現在位置ラインＴＬが表示され、またそのときの移動手段「飛行機」に応じて飛行機の移動マークＭが共に表示される。
【００３７】
また、図４（Ｃ）に示すように、日本時間１１時３０分頃・フランス時間３時３０分頃のスケジュール行間が指定された場合には、その指定時間前後にある各スケジュール「１１時（アンカレジ）」「１７時（パリ・ドゴール空港着）」の時間（１１時〜１７時）と地域（アンカレジＰ２〜フランスＰ３）に基づき、指定時間（１１時３０分）に対応する割合（１０分の１）の現在位置が計算され現在位置ラインＴＬが表示される。
【００３８】
なお、前記現在位置ラインＴＬに対応させて表示する移動マークＭは、図４（Ａ）（Ｂ）で示したように、当該現在位置ラインＴＬの上端に付加して表示してもよいし、移動ラインＭＬとの交差点上に付加して表示してもよい。
【００３９】
さらに、図４（Ｄ）に示すように、日本時間１３時頃・フランス時間５時頃のスケジュール行が指定された場合には、その指定時間前後にある各スケジュール「１１時（アンカレジ）」「１７時（パリ・ドゴール空港着）」の時間（１１時〜１７時）と地域（アンカレジＰ２〜フランスＰ３）に基づき、指定時間（１３時）に対応する割合（３分の１）の現在位置が計算され現在位置ラインＴＬが表示される。
【００４０】
また、図４（Ｅ）に示すように、日本時間１７時・フランス時間９時のスケジュール行が指定された場合には、「パリ・ドゴール空港着」のスケジュールに応じてスケジュール位置ポインタＰ３上に現在位置ラインＴＬが表示される。
【００４１】
このように、スケジュール画面上で指定された時間のスケジュールに対応する位置が地図上に現在位置ラインＴＬとして連動表示されるようになり、スケジュールにある場所（位置）を容易且つ直ちに確認できるのと共に、指定時間の移動に応じてスケジュール内容に対応する地図上の現在位置ラインＴＬも移動表示されるので、スケジュール上の時間的変化とこれに対応する場所（位置）の移動を連動させて確認できるようになる。
【００４２】
次に、前記構成の情報端末１０におけるスケジュール／地図連動表示機能について説明する。
【００４３】
図５は前記情報端末１０によるスケジュール地図表示処理を示すフローチャートである。
【００４４】
図６は前記情報端末１０のスケジュール地図表示処理に伴う表示処理を独立して示すフローチャートである。
【００４５】
例えばタッチパネル表示部１７上に設けられた「スケジュール」ボタンＳＣをタップ操作すると、時計部１８により計時される現在日時‘０１．４．１’に対応して、メモリ１２内のスケジュール表メモリ１２ｄに記憶されている「東京〜パリ」のスケジュールデータが読み出され、その中の各スケジュールに記述されている場所の位置情報が検索されて、地図画像データメモリ１２ｂに記憶されている世界地図の画像データ上にプロット（スケジュール位置ポインタＰ）されるのと共に、各プロット位置間に線（移動ラインＭＬ）が設定される（ステップＳ１）。
【００４６】
すると、表示モードメモリ１２ｅに設定記憶されているスケジュールの表示モードが検知され（ステップＳ２）、ウインドウ表示モードであるか又はそうではない重ね表示モードであるかが判断される（ステップＳ３）。
【００４７】
ここで、表示モードメモリ１２ｅに設定記憶されているスケジュールの表示モードがウインドウ表示モードであると判断された場合には、スケジュール画面の表示エリアが表示部１７における表示画面上のウインドウとして設定され（ステップＳ３→Ｓ４）、また、重ね表示モードであると判断された場合には、スケジュール画面の表示エリアが表示部１７における全画面に設定される（ステップＳ３→Ｓ５）。
【００４８】
また、指定行メモリ１２ｆに設定記憶されているスケジュール指定行の表示モードが検知され、スケジュール指定行の時間に関わらず当該指定行を最上段に設定表示する固定表示モードであるか又はそうではなく指定行をその時間通りの位置として設定表示する移動表示モードであるかが判断される（ステップＳ６）。
【００４９】
ここで、指定行メモリ１２ｅに設定記憶されているスケジュール指定行の表示モードが固定表示モードであると判断された場合には、スケジュール画面上で指定された時間のスケジュール行が常に表示画面上の最上段に固定表示されるよう設定され（ステップＳ６→Ｓ７）、また、移動表示モードであると判断された場合には、指定された時間のスケジュール行が表示画面上でその指定時間に応じた位置に移動表示されるよう設定される（ステップＳ６→Ｓ８）。
【００５０】
なお、このスケジュール地図表示処理において、スケジュール行の初期指定時間は現在時間に設定され、前記移動表示モードである場合でも初期の指定行表示は最上段に設定される。
【００５１】
すると、時計部１８により計時される現在の日時・時間が検知され（ステップＳ９）、スケジュール表メモリ１２ｄに記憶されている当日の現在時間のスケジュールが指定される（ステップＳ１０）。
【００５２】
そして、図６における表示処理へ移行される（ステップＳＡ）。
【００５３】
この表示処理では、まず、指定時間のスケジュール行を先頭に含んだ各スケジュールが、表示部１７の表示画面におけるスケジュール表示エリアに対し時間毎に配列表示される（ステップＡ１）。
【００５４】
例えば前記ステップＳ３→Ｓ５において重ね表示モードに設定されている場合には、図４（Ａ）に示すように、表示部１７の全画面として設定されたスケジュール表示エリアに対し初期指定行が最上段に設定されて、続く各時間毎のスケジュールが出発地時間表示ＴＳと共に配列表示される。
【００５５】
すると、時差表メモリ１２ｃに記憶されている時差データに従い、スケジュール上にある外国目的地の目的地時間表示ＴＡが前記出発地時間表示ＴＳと併設されて表示される（ステップＡ２）。
【００５６】
そして、前記表示部１７に表示されたスケジュール画面において、初期指定されて先頭表示されている現在時間に対応する最上段のスケジュール行がカーソルＫにより反転されて強調表示される（ステップＡ３）。
【００５７】
すると、スケジュール表メモリ１２ｄ（図３参照）に記憶されている各スケジュール毎の選択地図情報に基づき、前記カーソルＫにより指定強調表示されている時間のスケジュールに対応した選択地図が世界地図以外であるか否かが判断される（ステップＡ４）。
【００５８】
ここで、図４（Ａ）に示すように、カーソルＫにより指定強調表示されている時間（９時）のスケジュール（成田空港発）に対応した選択地図が世界地図であると判断された場合には、地図画像データメモリ１２ｂに記憶されている世界地図の地図画像データの中から、前記ステップＳ１において各スケジュールに記述されている場所の位置がプロット（スケジュール位置ポインタＰ）され各プロット位置間に線（移動ラインＭＬ）が設定された範囲の地図画像データが読み出され、前記スケジュール画面に重ねて表示される（ステップＡ４→Ａ５）。
【００５９】
そして、前記カーソルＫによる指定時間（９時）のスケジュール（成田空港発）があると判断された場合には（ステップＡ６のＹｅｓ）、スケジュール表メモリ１２ｄ（図３参照）に記憶されている該当スケジュールの移動手段（飛行機）が読み出され（ステップＡ７）、当該スケジュール（成田空港発）に応じたスケジュール位置ポインタＰ１上に飛行機の移動マークＭを付した現在位置ラインＴＬが表示される（ステップＡ８）。
【００６０】
なお、前記指定のスケジュールの移動手段を示す移動マークＭは、該当するスケジュールの指定行に対応させて表示させてもよい。
【００６１】
一方、例えば図４（Ｄ）に示すように、カーソルＫによる指定時間（１３時）のスケジュールがないと判断された場合には（ステップＡ６のＮｏ）、その指定時間前後にある各スケジュール「１１時（アンカレジ）」「１７時（パリ・ドゴール空港着）」の時間（１１時〜１７時）と地域（アンカレジＰ２〜フランスＰ３）に基づき、指定時間（１３時）に対応する割合（３分の１）の現在位置が計算される（ステップＡ９）。
【００６２】
そしてまた、前記指定時間前後にある各スケジュール「１１時（アンカレジ）」「１７時（パリ・ドゴール空港着）」の移動手段（両方共「飛行機」）に基づき指定時間の移動手段が「飛行機」として決定される（ステップＡ１０）。
【００６３】
すると、ステップＡ９において計算されたカーソルＫによる指定時間（１３時）に対応する前後スケジュール間の割合（３分の１）の現在位置に、前記ステップＡ１０にて決定された移動手段「飛行機」の移動マークＭを付した現在位置ラインＴＬが表示される（ステップＡ８）。
【００６４】
こうした表示処理（ステップＳＡ）により、スケジュール画面に当該スケジュール上の場所（位置）の範囲を含む地図画像が重ねて表示され、現在時間に対応あるいは任意指定された時間に対応するスケジュール行がカーソルＫにより強調表示されると共に、指定されたスケジュールの場所（位置）を示す現在位置ラインＴＬがその移動手段を示す移動マークＭと共に表示された状態で、例えばそのスケジュール画面に対するタップ操作により（ステップＳ１１）、現在の指定時間より前の時間のスケジュールが指定された場合には（ステップＳ１２）、当該指定操作に応じてスケジュール上の指定時間が戻され（ステップＳ１３）、この戻された前の指定時間に基づいて前記同様の表示処理が実行され、対応するスケジュール地図表示画面が表示される（ステップＳＡ）。
【００６５】
また、スケジュール画面に対するタップ操作により（ステップＳ１１）、現在の指定時間に対し次の時間のスケジュールが指定された場合には（ステップＳ１４）、当該指定操作に応じてスケジュール上の指定時間が進められ（ステップＳ１５）、この進められた次の指定時間に基づいて前記同様の表示処理が実行され、対応するスケジュール地図表示画面が表示される（ステップＳＡ）。
【００６６】
また、スケジュール画面に対するタップ操作により（ステップＳ１１）、現在の指定時間に対し他の日時のスケジュールが指定された場合には（ステップＳ１６）、当該指定操作に応じてスケジュール上の指定時間が指定日時に変更設定され（ステップＳ１７）、この設定された指定日時に基づいて前記同様の表示処理が実行され、対応するスケジュール地図表示画面が表示される（ステップＳＡ）。
【００６７】
さらに、「スケジュール」ボタンＳＣの再タップ操作により（ステップＳ１１）、現在時間のスケジュールが指定された場合には（ステップＳ１８）、当該指定操作に応じて時計部１８により計時される現在の時間が検知されると共に（ステップＳ１９）、スケジュール上の指定時間として指定され（ステップＳ２０）、この指定された現在時間に基づいて前記同様の表示処理が実行され、対応するスケジュール地図表示画面が表示される（ステップＳＡ）。
【００６８】
図７は前記情報端末１０のスケジュール地図表示処理に伴う指定行固定表示モードでの操作表示動作を示す図である。
【００６９】
すなわち、前記図５におけるスケジュール地図表示処理のステップＳ６において、指定行メモリ１２ｅに設定記憶されているスケジュール指定行の表示モードが固定表示モードであると判断された場合には、スケジュール画面上で指定された時間のスケジュール行が常に表示画面上の最上段に固定表示されるよう設定されるので（ステップＳ７）、前記図６における表示処理では、図７（Ａ）〜図７（Ｅ）に示すように、指定時間の変化に関わらず、常にその指定された時間のスケジュール行がスケジュール地図表示画面における最上段に固定され、カーソルＫにより反転強調表示される。
【００７０】
このように、スケジュール指定行の表示モードを固定表示モードとすることで、当該指定行を強調表示するカーソルＫが常に画面最上段に固定表示されるようになり、このスケジュール画面と重ねて表示される地図画面そのもの及びこの地図画面上にプロットされたスケジュール位置ポインタＰや移動ラインＭＬを見易く表示できるようになる。
【００７１】
図８は前記情報端末１０のスケジュール地図表示処理に伴うスケジュールウインドウ表示モードでの表示動作を示す図である。
【００７２】
すなわち、前記図５におけるスケジュール地図表示処理のステップＳ３において、表示モードメモリ１２ｅに設定記憶されているスケジュールの表示モードがウインドウ表示モードであると判断された場合には、スケジュール画面の表示エリアが表示部１７における表示画面上のウインドウとして設定されるので（ステップＳ４）、前記図６における表示処理では、図８に示すように、指定時間を含む各スケジュールのスケジュール画面は、ウインドウ画面Ｗとして表示される。
【００７３】
この際、前記ウインドウ表示モードの設定に伴うスケジュールのウインドウ画面Ｗは、地図データ上にプロットされたスケジュール位置ポインタＰ及び移動ラインＭＬに重ならない表示エリアに表示されるので、スケジュールにある場所（位置）に対応する地図画面上での位置を、より見易く簡単に確認できるようになる。
【００７４】
したがって、前記構成の情報端末１０におけるスケジュール／地図連動表示機能によれば、時間と場所（位置）・該場所での移動手段からなるスケジュールデータ及び各スケジュールの場所に対応する緯度／経度の位置情報を記憶したスケジュール表メモリ１２ｄ及び世界地図や各地域地図を記憶した地図画像データメモリ１２ｂを備え、例えば旅行用スケジュールでは、時間毎の出発地や経由地，到着地あるいはその内容からなるスケジュールを配列して表示すると共に、このスケジュール画面に表示された各スケジュール毎の場所（位置）を前記位置情報に基づき地図画像上にスケジュール位置ポインタＰ１〜Ｐｎで示し、各ポインタＰ１，２，…，ｎ間を移動ラインＭＬで結んだ範囲の地図画像データを重ねて表示するようにしたので、スケジュール表示画面と地図表示画面との切り替えを行う必要なく、各時間毎のスケジュールにある場所を、重ね表示した地図画面上に連動表示して確認できるようになる。
【００７５】
また、前記構成の情報端末１０におけるスケジュール／地図連動表示機能によれば、各時間毎のスケジュールにある場所（位置）をスケジュール位置ポインタＰ１〜Ｐｎで示し、各ポインタＰ１，２，…，ｎ間を移動ラインＭＬで結んだ範囲の地図画像データに対し、さらに、指定のスケジュール時間に対応する現在位置ラインＴＬを地図上の時間軸と直交する方向に表示させ、前記ポインタＰ１，２，…，ｎや移動ラインＭＬと交差させることで、指定時間における現在位置をより明確に連動表示するようにしたので、スケジュール時間帯の指定の移動に応じてその時々における場所（位置）の移動を地図上でより解り易く表示することができる。
【００７６】
さらに、前記構成の情報端末１０におけるスケジュール／地図連動表示機能によれば、指定のスケジュール時間に応じて時間軸上に直交表示される現在位置ラインＴＬに対応付けてその時点での移動手段が何であるかを示す移動マークＭを付加するようにしたので、スケジュールの場所（位置）に応じた地図上での位置を連動表示できるばかりでなく、飛行機や船などの何に載って移動するかを容易に知らせることができる。
【００７７】
なお、前記実施形態において記載した情報端末１０におけるスケジュール／地図連動表示処理の手法、すなわち、図５のフローチャートに示すスケジュール地図表示処理、図６のフローチャートに示す表示処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、表示機能を備えた種々のコンピュータは、この外部記録媒体１３に記憶されたプログラムを記録媒体読取部１４によってメモリ１２に読み込み、この読み込んだプログラムによって動作が制御されることにより、前記実施形態において説明したスケジュール画面と地図画面との連動表示機能を実現し、前述した手法による同様の処理を実行することができる。
【００７８】
また、前記各手法を実現するためのプログラムのデータは、プログラムコードの形態として通信ネットワーク（Ｎ）上を伝送させることができ、この通信ネットワーク（Ｎ）に接続されたコンピュータ端末から前記のプログラムデータを取り込み、前述したスケジュール画面と地図画面との連動表示機能を実現することもできる。
【００７９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８０】
【発明の効果】
以上のように、本発明の請求項１に係る電子機器によれば、時間情報に対応付けてスケジュールデータを記憶するスケジュール記憶手段と、このスケジュール記憶手段に記憶されたスケジュールデータに対応付けて位置情報を記憶する位置情報記憶手段とが備えられ、前記スケジュール記憶手段に記憶されたスケジュールが時間毎に表示されると、このスケジュール表示により時間毎に表示された各スケジュールに対応付けられて前記位置情報記憶手段に記憶されている位置情報が、当該スケジュール表示と共に地図上において表示されるので、各スケジュールに対応する位置を共に表示される地図上で確認できるようになる。
【００８１】
そして、スケジュール表示と共に表示される地図上において表示された各スケジュールに対応する位置情報が、そのスケジュールの時間順に連結されスケジュールの移動ラインとして表示されるようになる。
【００８２】
さらに、時間指定表示手段により前記スケジュール表示上の時間が指定表示されると、この指定表示された時間のスケジュールに対応する前記地図上での位置が、当該指定表示された時間のスケジュールがある場合は前記地図上に表示された該当スケジュールに対応する位置情報の位置の前記移動ライン上で表示され、指定表示された時間のスケジュールがない場合は前記地図上に表示された指定時間前後の各スケジュールに対応する位置情報の位置を連結した前記移動ライン上で表示されるので、スケジュール表示に対する時間指定表示の移動に応じて各指定時間のスケジュールに対応する地図上での位置が移動ライン上にて連動し移動表示されるようになる。
【００８３】
よって、本発明によれば、スケジュール上の場所（位置）を地図表示上で容易に確認することが可能になる。
【図面の簡単な説明】
【図１】本発明の電子機器の実施形態に係る情報端末１０の電子回路の構成を示すブロック図。
【図２】前記情報端末１０の時差表メモリ１２ｃに記憶される時差データを示す図。
【図３】前記情報端末１０のスケジュール表メモリ１２ｄに記憶されるスケジュールデータとその対応位置情報を示す図であり、同図（Ａ）はスケジュールデータを示す図、同図（Ｂ）は対応位置情報を示す図。
【図４】前記情報端末１０の指定行移動表示モードでの操作表示動作を示す図。
【図５】前記情報端末１０によるスケジュール地図表示処理を示すフローチャート。
【図６】前記情報端末１０のスケジュール地図表示処理に伴う表示処理を独立して示すフローチャート。
【図７】前記情報端末１０のスケジュール地図表示処理に伴う指定行固定表示モードでの操作表示動作を示す図。
【図８】前記情報端末１０のスケジュール地図表示処理に伴うスケジュールウインドウ表示モードでの表示動作を示す図。
【符号の説明】
１０  …情報端末
１１  …ＣＰＵ
１２  …メモリ
１２ａ…スケジュール地図プログラム
１２ｂ…地図画像データメモリ
１２ｃ…時差表メモリ
１２ｄ…スケジュール表メモリ
１２ｅ…表示モードメモリ
１２ｆ…指定行メモリ
１３  …外部記録媒体
１４  …記録媒体読取部
１５  …電送制御部
１６  …入力部
１７  …表示部（タッチパネル式）
１８  …時計部
Ｎ  …通信ネットワーク
ＳＣ  …「スケジュール」ボタン
ＭＰ  …「マップ」ボタン
Ｄ  …指定日表示
ＴＳ  …出発地時間表示
ＴＡ  …目的地時間表示
Ｋ  …カーソル
Ｐｎ…スケジュール位置ポインタ
ＭＬ  …移動ライン
ＴＬ  …現在位置ライン
Ｍ  …移動マーク
【図１】
0003867200.tif 000002
【図２】
0003867200.tif 000003
【図３】
0003867200.tif 000004
【図４】
0003867200.tif 000005
【図５】
0003867200.tif 000006
【図６】
0003867200.tif 000007
【図７】
0003867200.tif 000008
【図８】
0003867200.tif 000009